(57)【特許請求の範囲】
【請求項１】
台座で保持されたスタンド、当該スタンドに取り付けられ、これから斜め上方に伸びるスタンドアーム、当該スタンドアームの上部からこれに直交するように伸び、その下端に下部基板、当該下部基板の上方に上部基板が取り付けられた保持アームおよび前記スタンドアームの先端に設けられた、押さえ板を有する押さえ棒よりなり、前記下部基板の下部には、上方に突出する透明板を、前記上部基板の上部には、下方に突出する透明板を装着し、これらの透明板と押さえ棒に設けられた押さえ板で本を固定可能としてなる仰臥用書見台。
【請求項２】
前記下部基板および上部基板に装着された透明板の突出する幅は、本が見開き状態のとき、上下の余白部分にのみ重なる幅である請求項第１項記載の仰臥用書見台。
【請求項３】
下部基板および上部基板と、保持アームとの接合部は円筒構造になっており、円筒中に保持アーム５が挿通された状態で固定ボルトを締めたり緩めたりすることにより、下部基板および上部基板が上下方向に移動可能である請求項１または２記載の仰臥用書見台。
【請求項４】
前記保持アームの、少なくともその上部部分はネジを切った丸棒で、その一部または全部が、上下部分を平面とした形状であり、この平面部分で固定ネジを締めることにより、下部基板および上部基板の回転を防止した請求項１ないし３の何れかの項記載の仰臥用書見台。
【請求項５】
スタンドアームの上端を凹字型に切り込み、その窪み中にこれと密着するように押さえ棒の一端を挿入し、これをボルトで保持アーム方向にのみ回動可能に挟みこんでなる請求項１ないし４の何れかの項記載の仰臥用書見台。
【請求項６】
下端の木口中心にボルトを装着したスタンドアーム、当該スタンドアームの上部からこれに直交するように伸び、その下端に下部基板、当該下部基板の上方に上部基板が取り付けられた保持アームおよび前記スタンドアームの先端に設けられた、押さえ板を有する押さえ棒よりなり、前記下部基板の下部には、上方に突出する透明板を、前記上部基板の上部には、下方に突出する透明板を装着し、これらの透明板と押さえ棒に設けられた押さえ板で本を固定可能としてなる仰臥書見用スタンドアーム。
【発明の詳細な説明】
【技術分野】
【０００１】
本発明は仰臥の姿勢で本を見開き、保持するための書見台に関する。
【背景技術】
【０００２】
仰臥の姿勢で読書を可能とする書見台について、従来、少なからずいろいろな発明、考案がなされてきた。例えば、透明の板に本を載置することで本の保持を可能とした書見台について出願がなされている（特許文献１、特許文献２）。
【０００３】
また、本の左右をクリップで挟むことで頁の見開きを可能とした書見台も知られている。  
【０００４】
しかし、上述したような従来の発明、考案においては、文字を直に読むことができず、透明板の汚れや光の反射などで、目に負担の罹るものがあった。
【０００５】
また、仰向けに寝て読書する際、本の落下防止のため、頁押さえ部材などを用い、あるいは頁の見開き状態を保持する部材により文字と重なる部分が読めなくなるとともに、頁捲りの際、煩雑な作業を余儀なくされるという問題があった（特許文献３）。
【特許文献１】特開平０９−０７５１３９９号
【特許文献２】実開平０６−０４８４２８号
【特許文献３】実開平０６−０８１３３１号
【発明の開示】
【発明が解決しようとする課題】
【０００６】
本発明は、このような従来の発明、考案の構造上の問題を解決しようとするものであり、仰臥の姿勢で容易に、かつ、利便性をもって書籍を読むことのできる書見台の提供をその課題とするものである。
【課題を解決するための手段】
【０００７】
本発明は、上述の課題を達成すべく鋭意研究を行った結果、本を保持する下部基板および上部基板において、本を載置する部分を透明板で形成する板で保持し、かつ、本の背の部分を上方から押さえ板により押さえることにより、本が簡単に脱落することなく、しかも頁を捲ることも容易であることを見出し、本発明を完成した。
【０００８】
すなわち本発明は、台座で保持されたスタンド、当該スタンドに取り付けられ、これから斜め上方に伸びるスタンドアーム、当該スタンドアームの上部からこれに直交するように伸び、その下端に下部基板、当該下部基板の上方に上部基板が取り付けられた保持アームおよび前記スタンドアームの先端に設けられた、押さえ板を有する押さえ棒よりなり、前記下部基板の下部には、上方に突出する透明板を、前記上部基板の上部には、下方に突出する透明板を装着し、これらの透明板と押さえ棒に設けられた押さえ板で本を固定可能としてなる仰臥用書見台である。
【０００９】
また本発明は、下端の木口中心にボルトを装着したスタンドアーム、当該スタンドアームの上部からこれに直交するように伸び、その下端に下部基板、当該下部基板の上方に上部基板が取り付けられた保持アームおよび前記スタンドアームの先端に設けられた、押さえ板を有する押さえ棒よりなり、前記下部基板の下部には、上方に突出する透明板を、前記上部基板の上部には、下方に突出する透明板を装着し、これらの透明板と押さえ棒に設けられた押さえ板で本を固定可能としてなる仰臥書見台である。
【発明の効果】
【００１０】
本発明の仰臥用書見台および仰臥書見用スタンドアームは、極めて簡単な構造であり、部材が少なく、軽量で分解、組み立てが容易である。そして、使用時において、クリップなどの押さえ部材と文字が重なることがなく、文字全体が直に読めることを可能にしている。さらに頁捲りの煩雑な操作から開放するとともに、本の載置の安定を保つものである。
【発明を実施するための最良の形態】
【００１１】
以下、本発明の一実施態様を、図面とともに説明する。
【００１２】
図１は、本発明の仰臥用書見台（以下、「書見台」という）の一態様を示す斜視図である。図中、１は台座、２はスタンド、３は背板、４はスタンドアーム、５は保持アーム、６は下部基板、７は上部基板、８および９は透明板、１０および１１は保持筒、１２は押さえ棒、１３押さえ板をそれぞれ示す。
【００１３】
本発明の書見台は、基本的に台座１で保持されたスタンド２と、このスタンド２に取り付けられたスタンドアーム４と、このスタンドアーム４の上部に設けられた保持アーム５およびスタンドアーム４の先端に取り付けられた押さえ棒１２より構成される。
【００１４】
上記スタンドアーム４はスタンド２から、台座上部方向に斜め（一般には、水平面から見て４０〜５０゜程度）に伸びるように設けられており、その先端には、押さえ棒１２を取り付けるための切り込みが設けられ、先端から僅か下部には、保持アーム５が取り付けられている。そして、スタンドアーム４の先端の切り込み部には、押さえ板１３が設けられた押さえ棒１２が取り付けられている。
【００１５】
また、保持アーム５には、図２に示すように、下部基板６および上部基板７が保持筒１０および１１並びにこれを固定する固定ネジ１６ａおよび１６ｂで保持されている。この下部基板６および上部基板７には、それぞれ本を載置押さえるための透明板８および９が取り付けられている。これらの透明板としてはアクリル板等を使用することができ、その幅は、本の余白の部分の幅程度とすることが好ましい。
【００１６】
前記保持アーム５は、前記スタンドアーム４の軸に対し、直交する方向で下向き（一般には、水平面から見て−４０〜−５０゜程度）に伸びている。この保持アーム５は、少なくともその上部部分にネジが切られていることが好ましく、そうすることにより固定ネジ１６ｃにより、保持アーム５自体を動かし、本全体の位置を上下させることも可能となる。また、図３の保持アーム５は、全体がネジを切られた丸棒の一部の上下を平らに削った形状であるが、保持アームの上部基板７および下部基板８の位置においてネジが切られていなくても良い。全体にネジが切られた場合は、保持筒１０および１１として内部にネジ溝を切ったものを用いることにより、これをゆっくりと安定的に移動でき、しかも所定の場所で、平らな部分に固定ネジ１６ａや１６ｂで留めることにより下部基板６および上部基板７の回転を防ぎ、安定的に固定、保持することができる。また、ネジが切られていない場合は、簡単に下部基板６および上部基板７を移動することができる。
【００１７】
下部基板６および上部基板７を、前記保持筒１０および１１で固定する位置は、本の大きさにより変える必要がある。すなわち、本発明の書見台では、本は基本的に突出する透明板８と透明板９により本自体の重さで見開き状態に支えられるので、下部基板６および上部基板７の間隔はこれに合わせての調整する必要がある。従って、文庫本や新書では、下部基板６および上部基板７の間隔は短くなり、それより大きい普通サイズの本であれば、下部基板６および上部基板７の間隔はあまり短くする必要はない。
【００１８】
本発明の書見台において、本の保持は、基本的には、前記下部基板６および上部基板７の透明板８および透明板９により行われる。すなわち、本を開き、その中央に保持アーム５がくるように突出する透明板８および透明板９に載置して保持するのである。そしてこのように保持した場合、頁を捲る操作は下部基板６と上部基板７との間の左右両端に固定部材などの障害物がないので、容易に本の左右両端へ両手を伸ばし一旦、下部基板６の透明板８から離し、頁を捲った後再び下部基板６の透明板８へ載置することにより行うことができる。
【００１９】
なお、頁数が多い本の場合は、中央部が跳ね上がり、その部分の文字が読みづらくなるケースがある。このようなケースにおいては、透明板８および透明板９の他、スタンドアーム４先端の押さえ棒１２に装着された押さえ板１３で本の表紙綴じ合わせ部を押え、本の跳ね上りを防ぎつつ保持することが好ましい。
【００２０】
すなわち、上記の押さえ棒１２は、図３のようにスタンドアーム４の切り込み中に取り付けられ、保持アーム５とスタンドアーム４を含む平面上で回動可能となっており、更に固定ネジ１６ｄで固定できるようになっている。従って、前記のように透明板８および透明板９上に本を載置した後、固定ネジ１６ｄをゆるめて押さえ棒１２を回動させ、押さえ板１３で本の背を十分に保持できる位置で再度固定ネジ１６ｄをしめることにより安定に本が保持できるのである。なお、上記固定ネジ１６ｄは、必ずしも頁を捲るたびにゆるめたりしめたりする必要はない。また、本の形状や、その厚さによっては、押さえ板１３で本の背を押圧する必要もなく、単に本を透明板８および９に載置するだけで見開きを保持することも可能である。
【００２１】
また、本発明の上記態様では、スタンドアーム４の下端に、図６に示すようにボルト１４が設けられているので、スタンド２からスタンドアーム４を取り外し、あらかじめベッドの枠へ所定の吊金具１５を装着したうえ、スタンドアーム４下端のボルトと連結することにより、ベッドにて仰臥の姿勢で使用することができる。
【００２２】
以上説明した本発明の書見台によれば、本を支える部分が共に透明板であるので、本の見開き状態を保持しても読書の妨げとならない。また、下部基板６と上部基板７を連結する保持アーム５も、透明の合成樹脂を素材とすれば、その位置するところが本の中央余白部分であるため、これもほとんど読書の妨げにならない。
【００２３】
一方、本発明の書見台では、スタンドアーム４の角度および保持アーム５の長さを調整することにより、本の載置角度を床面に対して４０ないし５０度とすることができ、目線が最も楽にすることができる。
【産業上の利用可能性】
【００２４】
本発明によれば、本を簡単かつ安定に載置でき、しかも本を支える部材が読書の妨げにならない書見台を製造することができる。そして本発明の書見台は、体を休めながら行う読書において有利に使用することができるものである。
【図面の簡単な説明】
【００２５】
【図１】本発明書見台の斜視図である。
【図２】書見台の保持アームならびに下部基板および上部基板を示す斜視図である。
【図３】保持アームの斜視図である。
【図４】スタンドアーム上端と押さえ棒の状態を示す斜視図である。
【図５】スタンドアームの下端の拡大斜視図である。
【図６】ベッドの枠へ取りつけられた使用態様を示す斜視図である。
【符号の説明】
【００２６】
１  台座
２  スタンド
３  背板
４  スタンドアーム
５  保持アーム
６  下部基板
７  上部基板
８  透明板
９  透明板
１０  固定筒
１１  固定筒
１２  押さえ棒
１３  押さえ板
１４  ボルト
１５  吊金具
１６  固定ネジ
【図１】
0004750533.tif 000002
【図２】
0004750533.tif 000003
【図３】
0004750533.tif 000004
【図４】
0004750533.tif 000005
【図５】
0004750533.tif 000006
【図６】
0004750533.tif 000007